Podtech/llm-jp-corpus-v4-ja_patent huggingface dataset:
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
遊技機に用いられる遊技盤における遊技球が打ち込まれる遊技領域の所定箇所に形成された取付開口に、識別情報を変動表示する可変表示装置を組み付ける可変表示装置の製造方法において、
前記可変表示装置は、
識別情報を変動表示する変動表示手段の表示画面が当該遊技機の前面側から視認可能なように当該変動表示手段が取り付けられるとともに、所定の電気部品および配線が配設され、かつ、前記遊技盤に取り付けられる取付部材と、
前記変動表示手段の表示画面の周囲を囲う形状で、前記取付部材よりも前面側で前記遊技盤の前面に取り付けられ、前記取付部材とは別個独立の前面側部材と、
を備え、
前記前面側部材の裏面側を前記取付開口に挿入して当該前面側部材を前記遊技盤に取り付ける第１工程と、
前記取付部材を前記遊技盤の裏面側に取り付ける第２工程と、
を備えたことを特徴とする可変表示装置の製造方法。
【請求項２】
遊技機に用いられる遊技盤における遊技球が打ち込まれる遊技領域の所定箇所に形成された取付開口に、識別情報を変動表示する可変表示装置を組み付ける可変表示装置の製造方法において、
前記可変表示装置は、
識別情報を変動表示する変動表示手段の表示画面が当該遊技機の前面側から視認可能なように当該変動表示手段が取り付けられるとともに、所定の電気部品および配線が配設され、かつ、前記遊技盤に取り付けられる取付部材と、
前記変動表示手段の表示画面の周囲を囲う形状で、前記取付部材よりも前面側で前記遊技盤の前面に取り付けられ、前記電気部品および配線とは別個独立の前面側部材と、
を備え、
前記前面側部材の裏面側を前記取付開口に挿入して当該前面側部材を前記遊技盤に取り付ける第１工程と、
前記取付部材を前記遊技盤の裏面側に取り付ける第２工程と、
を備えたことを特徴とする可変表示装置の製造方法。
【請求項３】
請求項１または請求項２に記載の可変表示装置の製造方法において、
前記遊技盤の遊技領域の所定箇所に複数本の釘を植設する前工程を備え、
前記第１工程は、前記前工程後の遊技盤の前記取付開口に前記前面側部材の裏面側を挿入して当該前面側部材を前記遊技盤に取り付け、
前記第２工程は、前記第１工程の後に行う
ことを特徴とする可変表示装置の製造方法。
【手続補正２】
【補正対象書類名】明細書
【補正対象項目名】発明の名称
【補正方法】変更
【補正の内容】
【発明の名称】可変表示装置の製造方法
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤を備えた遊技機において、
前記遊技盤は、その所定箇所の開口に、識別情報を変動表示する可変表示装置を備え、
前記可変表示装置は、
識別情報を変動表示する変動表示手段と、
前記変動表示手段の表示画面が当該遊技機の前面側から視認可能なように、前記変動表示手段が取り付けられ、かつ、前記遊技盤に取り付けられる取付部材と、
前記変動表示手段の表示画面の周囲を囲う形状で、前記取付部材よりも前面側で前記遊技盤の前面に取り付けられる、前記取付部材とは別体の前面側部材と、
を備え、
前記取付部材は、前記遊技盤に取り付けられて前記前面側部材が前記遊技盤から取り外された状態において、その前面側で前記変動表示手段の表示画面の周囲の所定箇所に、被対象物が当該取付部材に対して取り外し可能に取り付けられている
ことを特徴とする遊技機。
【請求項２】
請求項１に記載の遊技機において、
前記被対象物は基板であり、
前記取付部材は、前記遊技盤に取り付けられて前記前面側部材が前記遊技盤から取り外された状態において、その前面側で前記変動表示手段の表示画面の周囲の所定箇所に、基板が当該取付部材に対して取り外し可能に取り付けられており、かつ、前記基板に接続された配線のコネクタが当該基板に対して取り外し可能に接続されており、
前記前面側部材は、前記遊技盤の盤面から突出して遊技球の挙動を規制する突出部を備え、
さらに、前記前面側部材は、正面視した状態で、その内側に、遊技球の転動する転動面を備えており、
前記取付部材は、前記基板を当該取付部材に対して着脱操作する着脱操作部を、前記前面側部材が前記遊技盤から取り外された状態において、前記取付部材の前面側で前記変動表示手段の表示画面の周囲で露出した箇所に、備えている
ことを特徴とする遊技機。
【請求項３】
請求項２に記載の遊技機において、
前記着脱操作部を解除した状態で、前記基板を前記取付部材に維持するよう仮留めする仮留め部を備えている
ことを特徴とする遊技機。
【手続補正書】
【提出日】平成20年12月19日(2008.12.19)
【手続補正１】
【補正対象書類名】特許請求の範囲
【補正対象項目名】請求項１
【補正方法】変更
【補正の内容】
【請求項１】
体内留置部となる第１チューブと、
該第１チューブの基端側に設けられた少なくとも一つの膨出部と、
前記膨出部の前記第１チューブとは反対側より延出する第２チューブと、を備えた医療用ドレーンチューブであって、
前記膨出部が、前記第１チューブとの境界および前記第２チューブとの境界のいずれよりも大径に形成されているとともに、
前記膨出部と前記第２チューブとの境界における外径が、前記膨出部と前記第１チューブとの境界における外径よりも大きいことを特徴とする医療用ドレーンチューブ。
【手続補正２】
【補正対象書類名】特許請求の範囲
【補正対象項目名】請求項２
【補正方法】変更
【補正の内容】
【請求項２】
前記膨出部と前記第２チューブとの境界における前記第２チューブの肉厚が、前記膨出部と前記第１チューブとの境界における前記第１チューブの肉厚に比して、同一または厚く形成されている請求項１に記載の医療用ドレーンチューブ。
【手続補正３】
【補正対象書類名】明細書
【補正対象項目名】０００５
【補正方法】変更
【補正の内容】
【０００５】
本発明による医療用ドレーンチューブは、体内留置部となる第１チューブと、該第１チューブの基端側に設けられた少なくとも一つの膨出部と、前記膨出部の前記第１チューブとは反対側より延出する第２チューブと、を備えた医療用ドレーンチューブであって、前記膨出部が、前記第１チューブとの境界および前記第２チューブとの境界のいずれよりも大径に形成されているとともに、前記膨出部と前記第２チューブとの境界における外径が、前記膨出部と前記第１チューブとの境界における外径よりも大きいことを特徴とする。
【手続補正４】
【補正対象書類名】明細書
【補正対象項目名】０００７
【補正方法】変更
【補正の内容】
【０００７】
本発明において、前記膨出部と前記第２チューブとの境界における前記第２チューブの肉厚が、前記膨出部と前記第１チューブとの境界における前記第１チューブの肉厚に比して、同一または厚くすることができる。こうすることにより、チューブ全体を引っ張ったときに力が掛りやすい第２チューブをより高強度にすることができる。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
取付対象に開閉可能に支持される支持部を有する遊技機本体と、
前記遊技機本体に設けられると共に絵柄を可変表示する絵柄表示装置と、
前記遊技機本体に設けられると共に前記絵柄の停止タイミングや遊技の進行等を管理する制御装置と、
前記遊技機本体が前記取付対象に閉鎖された場合、前記遊技機本体と前記取付対象を開放不能に施錠する施錠装置と
を備え、
遊技機前方から視認可能な有効位置に前記絵柄表示装置が特定絵柄を停止表示した場合、前記制御装置は、遊技球の払い出される機会が増加する特別遊技状態に遊技状態を移行させる遊技機において、
少なくとも前記制御装置を後ろから覆う被覆体を前記遊技機本体の背面側に開閉可能に設け、
前記施錠装置に、
前記遊技機本体が前記取付対象から開放不能となる施錠位置と、前記遊技機本体が前記取付対象から開放可能となる解錠位置に移動可能な第１施錠部材と、
前記被覆体が前記遊技機本体から開放不能となる施錠位置と、前記被覆体が前記遊技機本体から開放可能となる解錠位置に移動可能な第２施錠部材と、
第１解錠操作がなされた場合に前記第１施錠部材を解錠位置に移動させ、第２解錠操作がなされた場合に前記第２施錠部材を解錠位置に移動させる解錠機構と、
前記各解錠操作を遊技機前面側から行う操作部を有する外部操作手段と
を設けたことを特徴とする遊技機。
【請求項２】
前記被覆体を前記遊技機本体と同じ一側に開閉中心を有する構成とすると共に、前記施錠装置を前記遊技機本体の開放端側端部に設け、
前記施錠装置は、前記解錠機構として、前記第１解錠操作に連動して解錠側へと移動し、前記第１施錠部材を解錠位置へと移動させる第１移動部材と、前記第２解錠操作に連動して解錠側へと移動し、前記第２施錠部材を解錠位置へと移動させる第２移動部材とを別個に有し、
前記施錠装置に、前記遊技機本体を開閉中心側と開放端側とに区画する区画部材を設け、前記第１施錠部材及び前記第１移動部材を前記区画部材の開放端側に取り付けると共に、前記第２施錠部材を前記区画部材の開閉中心側に取り付け、
前記第２移動部材を、前記遊技機本体の開放端側から隠れるようにして前記区画部材の開閉中心側に取り付けたことを特徴とする請求項１に記載の遊技機。
【請求項３】
前記施錠装置に、前記各施錠部材をそれぞれ複数設け、
前記複数の第１施錠部材を施錠側に付勢する付勢部材を個別に設け、前記第１解錠操作がなされた場合、前記第１移動部材は前記付勢部材の付勢力に抗して前記複数の第１施錠部材を解錠位置へと移動させることを特徴とする請求項２に記載の遊技機。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
取付対象に開閉可能に支持される支持部を有する遊技機本体と、
前記遊技機本体に設けられると共に絵柄を可変表示する絵柄表示装置と、
前記遊技機本体に設けられると共に前記絵柄の停止タイミングや遊技の進行等を管理する制御装置と、
前記遊技機本体が前記取付対象に閉鎖された場合、前記遊技機本体と前記取付対象を開放不能に施錠する施錠装置と
を備え、
遊技機前方から視認可能な有効位置に前記絵柄表示装置が特定絵柄を停止表示した場合、前記制御装置は、遊技球の払い出される機会が増加する特別遊技状態に遊技状態を移行させる遊技機において、
少なくとも前記制御装置を後ろから覆う被覆体を、前記遊技機本体の背面側に該遊技機本体と同じ一側を開閉中心として開閉可能に設けると共に、前記施錠装置を前記遊技機本体の開放端側端部に設け、
前記施錠装置に、
前記遊技機本体が前記取付対象から開放不能となる施錠位置と、前記遊技機本体が前記取付対象から開放可能となる解錠位置に移動可能な第１施錠部材と、
前記被覆体が前記遊技機本体から開放不能となる施錠位置と、前記被覆体が前記遊技機本体から開放可能となる解錠位置に移動可能な第２施錠部材と、
第１解錠操作がなされた場合に前記第１施錠部材を解錠位置に移動させ、第２解錠操作がなされた場合に前記第２施錠部材を解錠位置に移動させる解錠機構と、
前記各解錠操作を遊技機前面側から行う操作部を有する外部操作手段と、
前記被覆体と前記遊技機本体が施錠状態にある場合に、前記被覆体の開閉軸線方向への移動を規制する規制部と
を設けたことを特徴とする遊技機。
【請求項２】
前記規制部を、前記被覆体に設けられた係合部を開閉軸線方向から挟持するように設けたことを特徴とする請求項１に記載の遊技機。
【請求項３】
前記係合部は、前記被覆体が前記遊技機本体に閉鎖された場合に前記第２施錠部材と係合することを特徴とする請求項２に記載の遊技機。
【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
管理コンピュータから送られる表示指示情報を受信する受信手段と、前記表示指示情報を任意の位置に表示する表示手段と、
を有し、
有機エレクトロルミネッセンス素子からなることを特徴とする表示装置。
【請求項２】
前記有機エレクトロルミネッセンス素子が、発光材料として燐光発光性化合物を含有することを特徴とする請求項１に記載の表示装置。
【請求項３】
前記燐光発光性化合物が燐光発光性高分子化合物であることを特徴とする請求項２に記載の表示装置。
【請求項４】
前記燐光発光性化合物が燐光発光性非共役高分子化合物であることを特徴とする請求項２に記載の表示装置。
【請求項５】
単一あるいは複数の前記有機エレクトロルミネッセンス素子からなることを特徴とする請求項１〜４のいずれかに記載の表示装置。
【請求項６】
色表示機能を有することを特徴とする請求項１〜５のいずれかに記載の表示装置。
【請求項７】
店舗の陳列棚に設置される表示装置と、管理コンピュータとを備えた電子棚札システムであって、
前記管理コンピュータが、
棚札の形式を示す棚札タイプ情報と、商品に関する商品情報を保持する保持手段と、
商品の陳列位置に関する情報を受信する手段と、
前記棚札タイプ情報と、前記商品情報と、受信した商品の陳列位置に関する情報を用いて、陳列商品に関する表示指示情報を作成し、この表示指示情報を前記表示装置に送信する送信手段と、
を有し、
前記表示装置が、
請求項１〜６のいずれかに記載の表示装置であり、
前記管理コンピュータから送られる前記表示指示情報を受信する手段と、
前記表示指示情報を任意の位置に表示する表示手段と、を有する、
ことを特徴とする電子棚札システム。
【手続補正２】
【補正対象書類名】明細書
【補正対象項目名】０００８
【補正方法】変更
【補正の内容】
【０００８】
本発明は、以下の［１］〜［７］に関する。
［１］  管理コンピュータから送られる表示指示情報を受信する受信手段と、前記表示指示情報を任意の位置に表示する表示手段と、
を有し、
有機エレクトロルミネッセンス素子からなることを特徴とする表示装置。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
［５］  単一あるいは複数の前記有機エレクトロルミネッセンス素子からなることを特徴とする上記［１］〜［４］のいずれかに記載の表示装置。
【手続補正５】
【補正対象書類名】明細書
【補正対象項目名】００１４
【補正方法】変更
【補正の内容】
【００１４】
［６］  色表示機能を有することを特徴とする上記［１］〜［５］のいずれかに記載の表示装置。
【手続補正６】
【補正対象書類名】明細書
【補正対象項目名】００１５
【補正方法】変更
【補正の内容】
【００１５】
［７］  店舗の陳列棚に設置される表示装置と、管理コンピュータとを備えた電子棚札システムであって、
前記管理コンピュータが、
棚札の形式を示す棚札タイプ情報と、商品に関する商品情報を保持する保持手段と、
商品の陳列位置に関する情報を受信する手段と、
前記棚札タイプ情報と、前記商品情報と、受信した商品の陳列位置に関する情報を用い
て、陳列商品に関する表示指示情報を作成し、この表示指示情報を前記表示装置に送信する送信手段と、
を有し、
前記表示装置が、
上記［１］〜［６］のいずれかに記載の表示装置であり、
前記管理コンピュータから送られる前記表示指示情報を受信する手段と、
前記表示指示情報を任意の位置に表示する表示手段と、を有する、
ことを特徴とする電子棚札システム。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
検出コイルとSQUID磁束計とを有する生体磁気計測装置と、
光源と、アルカリ金属のガスが封入された蒸気セルと、前記光源からの光を円偏光にして前記蒸気セルに入射させる光学系と、前記蒸気セルを透過した光を検知する光検出器と、前記蒸気セルに静磁場を印加するヘルムホルツコイルと、電圧制御発振器とRFコイルとを有し前記蒸気セルに前記静磁場と直交する方向の振動磁場を印加する手段と、前記光検出器からの出力信号と前記電圧制御発振器から前記RFコイルへ送られる信号との位相のロックイン検出を行うためのロックインアンプとを備え、前記生体磁気計測装置の環境磁気ノイズ計測用の光ポンピング磁束計と、
前記光ポンピング磁束計の前記蒸気セルに前記静磁場印加方向以外の方向から入る環境磁気ノイズを計測するための磁束計と、
前記磁束計に接続された磁束計駆動回路と、
前記磁束計駆動回路からの出力を電流量に変換する電流変換装置と、
前記電流変換装置の出力電流が入力され、前記蒸気セルに前記静磁場印加方向以外の方向から入る環境磁気ノイズと逆位相の磁場を、前記蒸気セルに印加する磁場発生用コイルと
を有することを特徴とする磁場計測システム。
【請求項２】
請求項１記載の磁場計測システムにおいて、前記磁束計は、前記蒸気セルに前記静磁場印加方向以外の2方向から入る環境磁気ノイズを計測することを特徴とする磁場計測システム。
【請求項３】
請求項１記載の磁場計測システムにおいて、前記光ポンピング磁束計は前記蒸気セルを挟んで前記光源からの光の光軸方向及び当該光軸と直交する方向に前記ヘルムホルツコイルをそれぞれ一対有し、前記2対のヘルムホルツコイルから前記蒸気セルに印加される静磁場が前記蒸気セルの中心で前記光源からの光と45度の角度をなしていることを特徴とする磁場計測システム。
【請求項４】
請求項１記載の磁場計測システムにおいて、前記蒸気セルに印加される静磁場の方向に平行な軸を有し、側壁に前記光源からの光を通過させる一対の孔を有する透磁率の高い金属製の筒を備え、前記筒内に前記蒸気セル、ヘルムホルツコイル及びRFコイルが配置され、前記磁束計は前記一対の孔を結ぶ方向の環境磁気ノイズを計測するように配置され、前記環境磁気ノイズと逆位相の磁場を前記蒸気セルに印加する磁場発生用コイルは前記一対の孔を挟んで配置されることを特徴とする磁場計測システム。
【請求項５】
請求項１記載の磁場計測システムにおいて、前記光ポンピング磁束計で検出した環境磁気ノイズを電流変換装置で電流量に変換し、その電流量を測定対象と前記検出コイルの間に設置した磁場発生用コイルに送ることで前記検出コイルに入る環境磁気ノイズと逆位相の磁場を発生させることを特徴とする磁場計測システム。
【請求項６】
SQUID磁束計、前記SQUID磁束計を駆動するFLL回路、及び前記FLL回路の出力信号を処理するアンプ−フィルター回路を有する生体磁気計測装置と、
光源、アルカリ金属のガスが封入された蒸気セル、前記光源からの光を円偏光にして前記蒸気セルに入射させる光学系、前記蒸気セルを透過した光を検知する光検出器、前記蒸気セルに静磁場を印加する静磁場印加用コイル、前記光検出器からの出力信号を処理するロックインアンプを有する光ポンピング磁束計とを備え、
前記光ポンピング磁束計によって前記生体磁気計測装置の環境磁気ノイズを計測することを特徴とする磁場計測システム。
【請求項７】
光源と、
アルカリ金属のガスが封入された蒸気セルと、
前記光源からの光を円偏光にして前記蒸気セルに入射させる光学系と、
前記蒸気セルを通過した光を検知する光検出器と、
前記蒸気セルに静磁場を印加する静磁場印加用コイルと、
電圧制御発振器と、
前記電圧制御発振器によって駆動され前記蒸気セルに前記静磁場と直交する方向の振動磁場を印加するRFコイルと、
内部に、前記蒸気セルと、前記静磁場印加用コイルと、前記RFコイルを収容し、前記光源の光の光方向と前記静磁場印加用コイルから前記蒸気セルへ印加する静磁場方向に孔を有する磁気シールドケースと、
前記光検出器からの出力信号と前記電圧制御発振器から前記RFコイルへ送られる信号との位相のロックイン検出を行うことで磁場を検知するロックインアンプと
を有することを特徴とする光ポンピング磁束計。
【請求項８】
請求項７記載の光ポンピング磁束計において、前記静磁場印加用コイルは、前記光源の光の光軸方向に前記蒸気セルを挟んで配置された第１の静磁場印加用コイル対と、当該光軸方向に直交する方向に前記蒸気セルを挟んで配置された第２の静磁場印加用コイル対からなることを特徴とする光ポンピング磁束計。
【請求項９】
請求項７又は８記載の光ポンピング磁束計において、前記光源の光の光軸方向に前記磁気シールドケースが有する孔に隣接して配置された磁束計と、前記磁束計と前記孔との間に配置された磁場発生コイルを有し、前記磁束計で検知された環境磁気ノイズと逆位相の磁場を前記磁場発生コイルから発生させることを特徴とする光ポンピング磁束計。
【請求項１０】
光源と、
格子状に配置された、アルカリ金属ガスが封入された複数の蒸気セルと、
前記蒸気セルに静磁場を印加する静磁場印加用コイルと、
前記光源からの光を円偏光にして前記複数の蒸気セルに入射する光学系と、
前記蒸気セルを通過した光を検知する光検出器と、
電圧制御発振器と、
前記電圧制御発信器によって駆動され前記蒸気セルに前記静磁場と直交する方向の振動磁場を印加するRFコイルと、
前記光検出器の出力信号と前記電圧制御発振器から前記RFコイルへ送られる信号との位相のロックイン検出を行うロックインアンプと、
前記複数の蒸気セルの前記静磁場印加用コイルに流す電流を制御する電流制御装置とを有し、
前記電流制御装置によって、前記複数の蒸気セルに印加される静磁場強度をそれぞれ異なるように調整することを特徴とするマルチチャンネル型光ポンピング磁束計。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を有する遊技盤を備えた遊技機において、
前記遊技盤は、その所定箇所に、遊技球が入球可能な始動入賞装置を備え、
前記始動入賞装置は、
前記遊技盤の遊技領域を流下する遊技球が入球可能な入球口と、
その入球口に入球した遊技球を奥方向に案内する奥方向通路と、
前記奥方向通路に連通し、遊技球を横方向に案内して前記遊技盤の裏面に沿うように排出する横方向通路と、
前記横方向通路に設けられ、当該横方向通路を通過する遊技球を検出する遊技球通過検出手段と、
を備えている
ことを特徴とする遊技機。
【請求項２】
請求項１に記載の遊技機において、
前記始動入賞装置は、前記奥方向通路と前記横方向通路との継ぎ目箇所に、前記奥方向通路から前記横方向通路に下る段差部を備えている
ことを特徴とする遊技機。
【請求項３】
請求項１または請求項２に記載の遊技機において、
前記始動入賞装置は、さらに、前記入球口の上方位置に当該入球口とは別の上部入球口と、前記上部入球口に入球した遊技球を奥方向に案内する、前記奥方向通路とは別の上部奥方向通路と、前記上部奥方向通路に連通し、前記横方向通路とは反対の横方向に遊技球を案内して前記遊技盤の裏面に沿うように排出する上部横方向通路と、
を備えている
ことを特徴とする遊技機。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
被対象部材に対して開いた開状態と、前記被対象部材に対して閉じた閉状態とに変位可能な開閉部材と、
前記開閉部材の開状態と閉状態とのうちで少なくとも閉状態を検出する検出手段と、
前記開閉部材を閉状態とする際の当該開閉部材と前記検出手段との間に設けられる緩衝部材と、
を備えた遊技機において、
前記緩衝部材は、前記開閉部材に軸支された回動部と、前記回動部からその回動軸に対して交差する方向に突出した部材であって、前記開閉部材が閉状態となる際に前記被対象部材に当接する第１突出部材と、前記回動部からその回動軸に対して交差する方向でかつ前記第１突出部材とは異なる方向に突出した、前記第１突出部材とは別の第２突出部材とが一体的に形成されたものであり、
前記検出手段は、収納本体部と、付勢力により押出される可動片と、前記可動片を押圧することで開あるいは閉となる接点部とを備えた接触型位置検出手段であり、
前記接触型位置検出手段は、前記開閉部材が閉状態となる際に回動してきた前記第２突出部材が前記可動片を押圧する位置に配設され、前記可動片の押圧により前記開閉部材が閉状態の位置にあることを検出するものであり、
前記第１突出部材は、前記開閉部材を閉状態としたときに弾性変形する弾性部を有している
ことを特徴とする遊技機。
【請求項２】
請求項１に記載の遊技機において、
前記可動片は、その少なくとも一部が前記収納本体部の所定の当接面から外側に出たものであり、
前記接触型位置検出手段は、前記開閉部材が閉状態となる際に回動してきた前記第２突出部材が前記可動片を押圧した状態において、前記収納本体部の当接面に前記第２突出部材が当接する位置に配設されている
ことを特徴とする遊技機。
【請求項３】
請求項１または請求項２に記載の遊技機において、
前記第１突出部材は、前記第２突出部材よりも厚みを薄くしているものであることを特徴とする遊技機。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
遊技球が流下する遊技領域を形成した遊技領域形成体と、
表示部に絵柄を変動表示する絵柄表示手段と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が前記特別遊技状態当選の場合には、前記絵柄が特定絵柄で停止するよう前記絵柄表示手段を表示制御する表示制御手段と、
前記抽選手段の抽選結果が前記特別遊技状態当選の場合、遊技状態を前記特別遊技状態に移行させる特別遊技状態移行手段と
を備えた遊技機において、
遊技状態が前記特別遊技状態に移行した場合に遊技球が入球し易い開放状態とその開放状態より遊技球が入球しにくい閉鎖状態とに切り換え可能な複数の可変入球手段を、上下方向に並ぶようにして前記遊技領域に配置し、
１の可変入球手段に対して上方に位置する他の可変入球手段に、当該他の可変入球手段に入球して前記遊技領域形成体の背面側へと案内された遊技球を下方に排出する上側排出通路を設け、
前記１の可変入球手段に、前記上側排出通路における下流側開口の真下位置から上下方向に貫通する上下貫通路と、前記１の可変入球手段に入球して前記遊技領域形成体の背面側へと案内された遊技球を下方に排出する下側排出通路とを、横並びとなるように設けたことを特徴とする遊技機。
【請求項２】
前記上下貫通路と前記下側排出通路が隣接するように前記１の可変入球手段と前記他の可変入球手段を配置したことを特徴とする請求項１に記載の遊技機。
【請求項３】
前記１の可変入球手段に、前記上下貫通路と前記下側排出通路が区画されるよう、上下方向に延びる区画壁を設けたことを特徴とする請求項１に記載の遊技機。
【請求項４】
前記各可変入球手段は、前後方向に貫通する開口部と、該開口部を開放状態と閉鎖状態に切り換え可能に支持される開閉扉と、前記開口部から入球した遊技球を前記遊技領域形成体の背面側へと集合させる集合領域と、前記排出通路とを備え、
前記集合領域のうち中央部の所定幅を遊技機奥方へと傾斜させると共に、その両側部を前記中央部に向けて下り傾斜させ、前記排出通路の上流側開口が前記中央部の奥側に位置する構成としたことを特徴とする請求項１乃至３のいずれか１に記載の遊技機。
【請求項５】
前記１の可変入球手段に、遊技球が遊技機奥方へと移動することを規制する規制壁を前記集合領域の一側部奥方に設け、前記規制壁の背面側に前記上下貫通路を設けたことを特徴とする請求項４に記載の遊技機。
【請求項６】
前記上側排出通路と前記下側排出通路が互いに逆方向に下り傾斜となる構成としたことを特徴とする請求項１乃至５のいずれか１に記載の遊技機。
【請求項７】
前記各可変入球手段の間に、他の遊技部品を非配置としたことを特徴とする請求項１乃至６のいずれか１に記載の遊技機。
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
Ｘ線を発生するＸ線源と被検体の透過Ｘ線を検出するＸ線検出器とが対向配置された状態で前記被検体の周囲を回転するスキャナ部と、前記Ｘ線源のビームシフト量を計測するビームシフト計測部と、前記計測されたビームシフト量に応じて前記Ｘ線源を制御する制御部と、前記被検体の計測時のスキャンパラメータの設定に用いられる操作部と、を備えたＸ線ＣＴ装置において、
複数のスキャンパラメータと前記Ｘ線源の位置の制御パラメータとの関係を示すパラメータテーブルを記憶する記憶部をさらに備え、
前記制御部は、前記操作部で設定されたスキャンパラメータと前記パラメータテーブルに基づき前記Ｘ線源の位置を制御することを特徴とするＸ線ＣＴ装置。
【請求項２】
請求項1に記載のＸ線装置において、
前記スキャンパラメータには、少なくとも管電圧と管電流とスキャン時間が含まれていることを特徴とするＸ線ＣＴ装置。
【請求項３】
請求項２に記載のＸ線ＣＴ装置において、
前記制御部は、前記被検体の体軸方向の部位に応じて予め設定された管電流値と前記パラメータテーブルに基づき前記Ｘ線源の位置を制御することを特徴とするＸ線ＣＴ装置。
【手続補正２】
【補正対象書類名】明細書
【補正対象項目名】０００５
【補正方法】変更
【補正の内容】
【０００５】
上記目的は、X線を発生するX線源と被検体の透過X線を検出するX線検出器とが対向配置された状態で前記被検体の周囲を回転するスキャナ部と、前記X線源のビームシフト量を計測するビームシフト計測部と、前記計測されたビームシフト量に応じて前記X線源を制御する制御部と、前記被検体の計測時のスキャンパラメータの設定に用いられる操作部と、を備えたX線CT装置において、複数のスキャンパラメータと前記X線源の位置の制御パラメータとの関係を示すパラメータテーブルを記憶する記憶部をさらに備え、前記制御部は、前記操作部で設定されたスキャンパラメータと前記パラメータテーブルに基づき前記X線源の位置を制御することを特徴とすることによって達成される。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
固定金型を保持する固定ダイプレートと、
移動金型を保持し、前記固定ダイプレートに対して型開閉方向に移動可能な移動ダイプレートと、
前記固定ダイプレート又は前記移動ダイプレートのいずれか一方に結合するための被結合部と、前記固定ダイプレート又は前記移動ダイプレートのいずれか他方に収容され、型締力を発生させるためのピストンとが設けられたタイバーと、
前記固定ダイプレート又は前記移動ダイプレートの前記一方に備わり、前記タイバーの被結合部に対して結合又は解放可能な結合部と、
前記固定ダイプレート又は前記移動ダイプレートの前記他方に備わり、前記ピストンを収容する型締シリンダと、
前記型締シリンダに所定圧力の作動液を供給する液圧源と、
前記型締シリンダから排出された作動液を収容するタンクと、
前記液圧源、前記タンク及び前記型締シリンダの間における作動液の流れを制御する液体流路回路と、
を備え、
前記型締シリンダは、
大径シリンダ室と、
前記大径シリンダ室のダイプレート対向面側とは反対側に連通し、前記大径シリンダ室よりも径が小さい小径シリンダ室と、
を有し、
前記ピストンは、
前記大径シリンダ室において摺動可能であり、前記大径シリンダ室を、前記小径シリンダ室とは反対側の第１シリンダ室と、前記小径シリンダ室側の第２シリンダ室とに区画する大径ピストン部と、
前記大径ピストン部の前記小径シリンダ室側の端面から突出し、前記小径シリンダ室を摺動可能な小径ピストン部と、
を有し、
前記タイバーは、
前記大径ピストン部のダイプレート対向面側の端面から突出し、前記小径ピストン部よりも径が小さく、前記第１シリンダ室の前記ダイプレート対向面側に開口する開口部を閉塞する第１ロッド部と、
前記小径ピストン部のダイプレート対向面側とは反対側の端面から突出し、前記小径シリンダ室のダイプレート対向面側とは反対側に開口する開口部を閉塞する第２ロッド部と、
を有する
型締装置。
【請求項２】
前記液体流路回路は、
前記第１シリンダ室と前記第２シリンダ室とを接続又は遮断可能、
前記液圧源からの作動液の供給先を前記第１シリンダ室及び前記小径シリンダ室の一方に、前記タンクへの作動液の排出元を前記第１シリンダ室及び前記小径シリンダ室の他方に選択的に割り当て可能、
前記第２シリンダ室の作動液の前記タンクへの排出を許容又は禁止可能、
に構成されている
請求項１に記載の型締装置。
【請求項３】
前記被結合部と前記結合部とが結合していないときに、前記第１シリンダ室と前記第２シリンダ室とを接続し、前記第２シリンダ室から前記タンクへの作動液の排出を禁止した状態で、前記第１シリンダ室又は前記小径シリンダ室に選択的に作動液を供給して前記被結合部と前記結合部とが結合可能な位置に前記タイバーを移動させ、前記被結合部と前記結合部とが結合しているときに、前記第１シリンダ室と前記第２シリンダ室とを遮断し、前記第２シリンダ室から前記タンクへの作動液の排出を許容した状態で、前記第１シリンダ室に作動液を供給して型締を行うように前記液体流路回路を制御する第１制御手段を有する
請求項２に記載の型締装置。
【請求項４】
前記被結合部と前記結合部とが結合しているときに、前記第１シリンダ室と前記第２シリンダ室とを遮断し、前記第２シリンダ室から前記タンクへの作動液の排出を許容した状態で、前記第１シリンダ室に作動液を供給して型締を行い、その後、前記第１シリンダ室と前記第２シリンダ室とを接続し、前記第２シリンダ室から前記タンクへの作動液の排出を禁止した状態で、前記小径シリンダ室に作動液を供給して前記移動ダイプレートを型開方向に移動させるように前記液体流路回路を制御する第２制御手段を有する
請求項２又は３に記載の型締装置。
【請求項５】
固定金型を保持する固定ダイプレートと、
移動金型を保持し、前記固定ダイプレートに対して型開閉方向に移動可能な移動ダイプレートと、
前記固定金型及び前記移動金型を型締する型締力を発生させるピストン及び当該ピストンを収容する型締シリンダと、
前記型締シリンダに所定圧力の作動液を供給する液圧源と、
前記型締シリンダから排出された作動液を収容するタンクと、
前記液圧源、前記タンク及び前記型締シリンダの間における作動液の流れを制御する液体流路回路と、
を備え、
前記型締シリンダは、
前記移動ダイプレートを型締方向へ移動させる際に作動液が供給される大径シリンダ室と、
前記大径シリンダ室に連通し、前記大径シリンダ室よりも径が小さく、前記移動ダイプレートを型開方向へ移動させる際に作動液が供給される小径シリンダ室と、
を有し、
前記ピストンは、
前記大径シリンダ室において摺動可能であり、前記大径シリンダ室を、前記小径シリンダ室とは反対側の第１シリンダ室と、前記小径シリンダ室側の第２シリンダ室とに区画する大径ピストン部と、
前記大径ピストン部の前記小径シリンダ室側の端面から突出し、前記小径シリンダ室を摺動可能な小径ピストン部と、
を有し、
前記小径ピストン部の前記小径シリンダ室側の端面からは、前記小径シリンダ室の前記大径シリンダ室とは反対側に開口する開口部を閉塞するロッド部が突出し、
前記大径ピストン部の前記第１シリンダ室側の受圧面積は前記第２シリンダ室側の受圧面積より大きい
型締装置。
【手続補正２】
【補正対象書類名】明細書
【補正対象項目名】０００６
【補正方法】変更
【補正の内容】
【０００６】
上記の型締シリンダ１０９において、タイバー１０７の位置を微調整するとき等、型締時以外における動作について考える。型締シリンダ１０９の必要速度をｖ（ｍｍ／ｓ）とすると、型締方向の必要流量Ｑ１は、ランアラウンド回路がオンのときにおいて、
Ｑ１＝π／４×（Ｄ３２−Ｄ４２）×ｖ（ｍｍ／ｓ）×ｎ…（２）
型開方向の必要流量Ｑ２は、ランアラウンド回路がオフのときにおいて、
Ｑ２＝π／４×（Ｄ１２−Ｄ３２）×ｖ（ｍｍ／ｓ）×ｎ…（３）
型締時以外における型締方向、型開方向の移動に必要な流量の総和は、
Ｑ１＋Ｑ２＝π／４×（Ｄ１２−Ｄ４２）×ｖ（ｍｍ／ｓ）×ｎ…（４）
となり、Ｄ３には関係しない。
【手続補正３】
【補正対象書類名】明細書
【補正対象項目名】０００７
【補正方法】変更
【補正の内容】
【０００７】
上述のように、直径Ｄ１及びＤ４は型締力によって決定されるから、必要流量の総和Ｑ１＋Ｑ２は、速度を決定すれば、型締力に対して略固定値となる。また、直径Ｄ３の値によって流量Ｑ１、Ｑ２それぞれの値は変化するが、型締時以外における型締方向、型開方向の移動どちらかの工程で（Ｑ１＋Ｑ２）／２以上の流量は必要になる。
【手続補正４】
【補正対象書類名】明細書
【補正対象項目名】００４８
【補正方法】変更
【補正の内容】
【００４８】
図４において、型締シリンダ９の必要速度をｖ（ｍｍ／ｓ）すると、
型締方向の必要流量Ｑ３は、
Ｑ３＝π／４×（Ｄ２２−Ｄ４２）×ｖ（ｍｍ／ｓ）×ｎ…（６）
型開方向の必要流量Ｑ４は、
Ｑ４＝π／４×（Ｄ２２−Ｄ３２）×ｖ（ｍｍ／ｓ）×ｎ…（７）
となる。
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
細孔容積が０．５〜２．０ｍｌ／ｇである、シリカゲル粒子およびアルミナ粒子から選択される少なくとも1種の多孔質無機粒子の１００重量部に対し、ヒドラジド化合物の少なくとも1種を５〜７０重量部担持してなる担持粒子を有効成分として含み、しかも当該担持粒子の細孔容積が０．１〜２．０ｍｌ／ｇである、アルデヒド含有空気浄化剤組成物。
【請求項２】
多孔質無機粒子の平均細孔直径が４０〜２５０Åである、請求項１に記載のアルデヒド含有空気浄化剤組成物。
【請求項３】
担持粒子が、多孔質無機粒子１００重量部に対し、ヒドラジド化合物が１０〜５０重量部担持してなる粒子である、請求項１又は２に記載のアルデヒド含有空気浄化剤組成物。
【請求項４】
担持粒子の平均粒径が、０．１μｍ〜５ｍｍの粒子である、請求項１〜３のいずれかに記載のアルデヒド含有空気浄化剤組成物。
【請求項５】
担持粒子が、ヒドラジド化合物を含浸担持した粒子である、請求項１〜４のいずれかに記載のアルデヒド含有空気浄化剤組成物。
【請求項６】
ヒドラジド化合物が、式１：
【化１】
2007167495.tif 000001
（式中、Ｒ−ＣＯは炭素数１〜８の飽和又は不飽和脂肪族モノ又はジカルボン酸残基を表し、ｎは１又は２）で表される１種または２種以上である、請求項１〜５のいずれかに記載のアルデヒド含有空気浄化剤組成物。
【請求項７】
ヒドラジド化合物が、シュウ酸、マロン酸、コハク酸、グルタル酸、アジピン酸よりなるカルボン酸群から選ばれる少なくとも１種のモノまたはジヒドラジドのいずれか１種または２種以上である、請求項１〜６のいずれかに記載のアルデヒド含有空気浄化剤組成物。
【請求項８】
請求項１〜７のいずれかに記載の組成物を支持体に固定してなる、アルデヒド含有空気浄化材。
【請求項９】
請求項１〜７のいずれかに記載の組成物が造粒されてなる、平均粒径０．５〜５ｍｍの粒状アルデヒド含有空気浄化材。
【請求項１０】
以下の工程：
工程１：細孔容積が０．５〜２．０ｍｌ／ｇであるシリカゲル粒子およびアルミナ粒子から選択される少なくとも1種の多孔質無機粒子を、ヒドラジド化合物の溶液により、含浸処理し、該無機粒子１００重量部に対し、該化合物５〜７０重量部を担持し０．１〜２．０ｍｌ／ｇの細孔容積を有する担持粒子を作る工程；
工程２；該担持粒子と、バインダーを含む分散液を、支持体に塗布し、該支持体に担持粒子を含む被膜を形成する工程；及び
工程３；該被膜を乾燥し、担持粒子を支持体に固定する工程；
を含む、アルデヒド含有空気浄化材の製造方法。
【請求項１１】
工程１と工程２の間に、担持粒子を  ５０〜１５０℃の温度範囲で乾燥する工程を含む、請求項１０に記載のアルデヒド含有空気浄化材の製造方法。
【請求項１２】
支持体がフィルター状、シート状、円筒状、積層体、ハニカム構造体又はネットのいずれかである、請求項１０又は１１に記載アルデヒド含有空気浄化材の製造方法。
【請求項１３】
以下の工程：
工程イ；平均細孔直径４０〜２５０Åであり、平均粒径０．１〜３００μｍの、シリカゲル粒子およびアルミナ粒子から選択される少なくとも1種の粒子を、ヒドラジド化合物の少なくとも1種を含む液体で含浸処理して、該化合物を担持し０．１〜２．０ｍｌ／ｇの細孔容積を有する担持粒子を作る工程；及び
工程ロ；該担持粒子を用いて平均粒径０．５〜５ｍｍの粒状体に造粒する工程；
を含む、粒状アルデヒド含有空気浄化材の製造方法。
【請求項１４】
以下の工程： 
工程ａ；平均細孔直径４０〜２５０Åであり、細孔容積が０．５〜２．０ｍｌ／ｇでかつ粒子径が０．５〜５ｍｍの、シリカゲル粒子およびアルミナ粒子から選択される少なくとも1種の造粒粉を準備する工程；及び
工程ｂ；該造粒粉をヒドラジド化合物の少なくとも1種を含む液体で含浸処理して、該化合物を担持し０．１〜２．０ｍｌ／ｇの細孔容積を有する担持造粒粉を作る工程；
を含む、粒状アルデヒド含有空気浄化材の製造方法。
【請求項１５】
ヒドラジド化合物の少なくとも１種を担持した、シリカゲル粒子及びアルミナ粒子から選択される少なくとも１種の多孔質無機粒子であって、しかも当該担持粒子の細孔容積が０．１〜２．０ｍｌ／ｇを有する担持粒子と、水とバインダーを含む、アルデヒド類を含む空気の浄化材形成用スラリー。
【請求項１６】
ヒドラジド化合物を担持する多孔質無機粒子が、細孔容積０．５〜２．０ｍｌ／ｇを有する無機粒子である、請求項１５に記載のスラリー。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
遊技球の払い出しを行う払出装置と、
遊技球を貯留する球受け皿と、
前記払出装置からの遊技球を前記球受け皿に払い出す払出通路と、
払出通路の途中位置にて同払出通路を流下する遊技球を検知するように設けられ、遊技球を検知している間はその旨の検知信号を出力する検知手段とを備え、
検知手段から前記検知信号が継続して出力されている期間が予め設定された第１期間以上となった場合に前記球受け皿が満杯状態となっていると判定すると共に、その判定結果に応じて遊技球の払い出しを制限する満杯状態処理を実行する遊技機において、
前記検知信号が継続して出力されている期間が前記第１期間よりも短い第２期間以上となったか否かを判定する期間経過判定手段と、
同期間経過判定手段により前記第２期間以上となったと判定された場合に、前記払出装置における遊技球の払出周期を、それまでの周期よりも遅い周期に変更する周期変更手段とを備えたことを特徴とする遊技機。
【請求項２】
前記払出装置の払出周期として、前記払出装置による遊技球の払い出し開始時に設定される通常周期と、同通常周期よりも遅い周期であり前記払出装置がその周期で遊技球を払い出した場合に連続して払い出される２個の遊技球が同時に前記検知手段の検知範囲内に存在しない低速周期とを記憶する周期記憶手段を備え、
前記周期変更手段は、前記期間経過判定手段により前記第２期間以上となったと判定された場合に前記払出装置における遊技球の払出周期を前記通常周期から前記低速周期に変更することを特徴とする請求項１に記載の遊技機。
【請求項３】
前記第２期間が経過してから前記第１期間が経過するまでの間に、前記第２期間が経過するまでに払い出された遊技球の前記検知手段による検知が完了するように前記第１期間及び前記第２期間を設定したことを特徴とする請求項１又は２に記載の遊技機。
【請求項４】
前記周期変更手段により前記払出周期が変更された後に前記検知手段からの検知信号の出力が停止された場合に、前記払出周期を元の周期に復帰させる周期復帰手段を備えたことを特徴とする請求項１乃至３のいずれか１に記載の遊技機。
【請求項５】
前記満杯状態処理が実行されている状況下で、前記検知手段から前記検知信号が出力されていない状態が継続して第３期間以上となった場合に、前記満杯状態処理を解除する満杯状態処理解除手段を備えたことを特徴とする請求項１乃至４のいずれか１に記載の遊技機。
【請求項６】
複数の釘及び入球部が配設された遊技領域を有する遊技盤と、前記遊技領域に向けて遊技球を発射する遊技球発射装置と、同遊技球発射装置により遊技球を発射させるべく操作される発射操作手段とを備え、
前記入球部に遊技球が入球することにより前記払出装置による遊技球の払い出しを実行する構成であり、
さらに、前記払出装置から払い出された遊技球が前記検知手段により検知され始めるまでの時間と前記第２期間とを合算した時間を、前記入球部に１の遊技球が入りそれに対応した賞球のすべてが前記払出装置から払い出されるまでに要する時間よりも長くしたことを特徴とする請求項１乃至５のいずれか１に記載の遊技機。
【請求項７】
遊技球の払い出しを行う払出装置と、
遊技球を貯留する球受け皿と、
前記払出装置からの遊技球を前記球受け皿に払い出す払出通路と、
払出通路の途中位置にて同払出通路を流下する遊技球を検知するように設けられ、遊技球を検知している間はその旨の検知信号を出力する検知手段と、
検知手段から前記検知信号が継続して出力されている期間が予め設定された第１期間以上となった場合に、前記球受け皿が満杯状態となっていると判定する満杯状態判定手段と、
遊技状況を報知する報知手段と、
同報知手段を制御する報知制御手段とを備え、
前記満杯状態判定手段により前記球受け皿が満杯状態となっていると判定された場合に、前記報知制御手段は満杯状態報知を実行するように前記報知手段を制御する遊技機において、
前記検知信号が継続して出力されている期間が前記第１期間よりも短い第２期間以上となったか否かを判定する期間経過判定手段と、
同期間経過判定手段により前記第２期間以上となったと判定された場合に、前記払出装置による遊技球の払い出しを停止する払出停止手段とを備えたことを特徴とする遊技機。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
遊技を統括管理する主制御装置と、
払出装置を駆動させて遊技球の払い出しを行わせる払出制御装置とを備え、
前記主制御装置から前記払出制御装置へ制御指令の出力を可能とし、払出制御装置が主制御装置から出力される払出制御指令に従い遊技球の払い出しを実行し、順次払い出される遊技球が球受け皿に排出されて貯留される遊技機において、
前記球受け皿が満杯状態となったことを検知する満杯検知手段を備え、
前記主制御装置は、前記満杯検知手段の満杯検知信号を入力するとともに、その満杯検知信号の入力結果に基づいて満杯処理制御指令を前記払出制御装置に出力することを特徴とする遊技機。
【請求項２】
前記主制御装置は、主制御装置と前記払出制御装置とを電気的に接続する指令出力部材を介して前記満杯処理制御指令を出力することを特徴とする請求項１に記載の遊技機。
【請求項３】
前記指令出力部材は前記払出制御指令を出力する指令出力部材であることを特徴とする請求項２に記載の遊技機。
【請求項４】
前記満杯検知手段は、前記球受け皿への払出通路の途中位置にて同払出通路を流下する遊技球を検知するように設けられ、遊技球を検知している間は前記満杯検知信号を出力するセンサであり、
前記主制御装置は、
前記満杯検知信号を継続して入力している入力継続期間が予め設定された第１期間以上となった場合に前記満杯処理制御指令として第１制限制御指令を出力する第１制限指令出力処理を実行するとともに、前記入力継続期間が前記第１期間よりも長い第２期間以上となった場合に前記満杯処理制御指令として第２制限制御指令を出力する第２制限指令出力処理を実行し、
前記払出制御装置は、
前記第１制限制御指令を入力することにより前記払出装置における遊技球の払出周期をそれまでの周期よりも遅い周期に変更する第１制限処理を実行するとともに、前記第２制限制御指令を入力することにより前記払出装置における遊技球の払い出しを停止する又は前記払出周期をさらに遅い周期に変更する第２制限処理を実行することを特徴とする請求項１乃至３のいずれか１に記載の遊技機。
【請求項５】
前記主制御装置は、前記第１制限制御指令を出力した後に前記満杯検知信号の入力が停止された場合に前記満杯処理制御指令として第１解除制御指令を出力する第１解除指令出力処理を実行し、
前記払出制御装置は、前記第１解除制御指令を入力することにより前記第１制限処理を解除する第１解除処理を実行することを特徴とする請求項４に記載の遊技機。
【請求項６】
前記主制御装置は、前記第２制限制御指令を出力した後に前記満杯検知信号を継続して入力していない期間が予め設定された第３期間以上となった場合に前記満杯処理制御指令として第２解除制御指令を出力する第２解除指令出力処理を実行し、
前記払出制御装置は、前記第２解除制御指令を入力することにより前記第２制限処理を解除する第２解除処理を実行することを特徴とする請求項５に記載の遊技機。
【請求項７】
複数の釘及び入球部が配設された遊技領域を有する遊技盤と、前記遊技領域に向けて遊技球を発射する遊技球発射装置と、同遊技球発射装置により遊技球を発射させるべく操作される発射操作手段とを備え、
前記入球部に遊技球が入球することにより前記払出装置による遊技球の払い出しを実行する構成であり、
前記主制御装置は、前記満杯検知信号の入力結果に基づいて、前記発射操作手段が操作されていたとしても前記遊技球発射装置による遊技球の発射が行われないようにする発射停止処理を実行することを特徴とする請求項１乃至６のいずれか１に記載の遊技機。
【請求項８】
遊技を統括管理する主制御装置と、
払出装置を駆動させて遊技球の払い出しを行わせる払出制御装置と、
報知手段を制御して遊技に関する情報を報知させる報知制御装置と
を備え、
前記主制御装置から前記払出制御装置及び前記報知制御装置へ制御指令の出力を可能とし、主制御装置から払出制御装置に出力される払出制御指令に従い遊技球の払い出しが実行されてその払い出される遊技球が球受け皿に貯留されるとともに、
主制御装置から報知制御装置に出力される報知制御指令に従い前記報知手段による報知が実行される構成とした遊技機において、
前記球受け皿が満杯状態となったことを検知する満杯検知手段を備え、
前記主制御装置は、前記満杯検知手段の満杯検知信号を入力し、その満杯検知信号の入力結果に基づいて払出用満杯処理制御指令を前記払出制御装置に出力するとともに、前記満杯検知信号の入力結果に基づいて報知用満杯処理制御指令を前記報知制御装置に出力することを特徴とする遊技機。
【請求項９】
複数の釘及び入球部が配設された遊技領域を有する遊技盤と、
前記遊技領域に向けて遊技球を発射する遊技球発射装置と、
遊技球発射装置により遊技球を発射させるべく操作される発射操作手段と、
遊技を統括管理する主制御装置と、
払出装置を駆動させて遊技球の払い出しを行わせる払出制御装置と、
報知手段を制御して遊技に関する情報を報知させる報知制御装置とを備え、
前記主制御装置は、前記発射操作手段が操作されることに基づいて所定周期で発射許可情報を生成し、前記遊技球発射装置は前記発射許可情報に基づいて遊技球の発射を実行する構成とし、
さらに、前記主制御装置から前記払出制御装置及び前記報知制御装置へ制御指令の出力を可能とし、前記入球部に遊技球が入球することにより主制御装置から払出制御装置に出力される払出制御指令に従い遊技球の払い出しが実行されてその払い出される遊技球が球受け皿に貯留されるとともに、
主制御装置から報知制御装置に出力される報知制御指令に従い前記報知手段による報知が実行される構成とした遊技機において、
前記球受け皿が満杯状態となったことを検知する満杯検知手段を備え、
前記主制御装置は、
前記満杯検知手段の満杯検知信号を入力し、
その満杯検知信号の入力結果に基づいて前記発射操作手段が操作されていたとしても前記発射許可情報の出力を停止する発射停止処理を実行し、
さらに、前記満杯検知信号の入力結果に基づいて払出用満杯処理制御指令を前記払出制御装置に出力するとともに、
前記満杯検知信号の入力結果に基づいて報知用満杯処理制御指令を前記報知制御装置に出力することを特徴とする遊技機。